(57)【要約】  【課題】構成を複雑化することなく液体還元剤用タンクの保温性、給水性及びメンテナンス性を向上させる。  【解決手段】エンジンルーム７の前方に熱交換機ユニット１３が配設され、且つ、液体還元剤１１を貯留した液体還元剤用タンク１１が搭載された建設機械において、熱交換機ユニット７は空間部を有する支持フレーム１５，１５に取り付けられている。又、前記液体還元剤用タンク１１を支持フレーム１５，１５内の空間部に設置することにより、液体還元剤用タンク１１の保温性、給水性及びメンテナンス性が向上するように構成した。【選択図】図３
2011016506.tif 000002
【特許請求の範囲】
【請求項１】
エンジンの前方に熱交換機ユニットが配設され、且つ、液体還元剤を貯留した液体還元剤用タンクが搭載された建設機械において，熱交換機ユニットは空間部を有する支持フレームに取り付けられ、該支持フレーム内の空間部に前記液体還元剤用タンクを設置することにより、該液体還元剤用タンクを保温できるように構成したことを特徴とする建設機械。
【発明の詳細な説明】
【技術分野】
【０００１】
本発明は建設機械に関するものであり、特に、液体還元剤を貯留した液体還元剤用タンクが搭載された建設機械に関するものである。
【背景技術】
【０００２】
近年、ディーゼルエンジンを搭載した油圧ショベル等の建設機械では、高次の排ガス規制に対応すべく、ディーゼルエンジンの排気系に排ガス処理装置が設置され、ディーゼルエンジンからの排ガスは、排気管の下流側に設けたＮＯｘ還元触媒を通って大気中に放出される。
【０００３】
従来、此種排ガス処理装置としては、尿素水溶液（液体還元剤）を用いた尿素選択還元型のＮＯｘ処理装置が多く採択され、尿素水溶液は液体還元剤用タンクに貯留されている。又、液体還元剤用タンクは液体還元剤供給パイプにより排気管に接続され、液体還元剤供給ポンプにより液体還元剤用タンク内の尿素水溶液を前記排気管の下流側に供給できるように構成されている（例えば、特許文献１参照）。
【先行技術文献】
【特許文献】
【０００４】
【特許文献１】特開２００３−２０９３６号公報
【発明の概要】
【発明が解決しようとする課題】
【０００５】
尿素水溶液は氷点下以下の低温になると凍結し易くなり、凍結した場合には尿素水溶液を液体還元剤として使用できなくなる。そこで、尿素水溶液の凍結を防止する技術が種々開発されている。例えば、液体還元剤用タンク内にヒーター（加熱手段）を設置するとともに温度センサを取り付け、該温度センサからの検出信号に基づきコンピュータからヒーター（温度制御手段）に指令信号を出力することで、液体還元剤用タンク内を加熱する技術が開発されている。
【０００６】
しかし、上記の如く加熱手段や温度制御手段を設けた場合は、構造が複雑になり設備コストが高騰する。また、寒冷期には、液体還元剤用タンク内の尿素水溶液の凍結を防止すべく、液体還元剤用タンクを常時加熱する必要があり、その結果、加熱のための電気エネルギーの消費量が増大する。
【０００７】
更に、上記液体還元剤用タンクは、上部旋回体の狭隘な場所に設置されているので、液体還元剤用タンクに尿素水溶液を補給する際、或いは、液体還元剤用タンクのメンテナンス作業を行う際に、作業者は不自然な作業姿勢を余儀なくされて、液体還元剤用タンクの給水性及びメンテナンス性が良くないという問題があった。
【０００８】
そこで、構成を複雑化することなく液体還元剤用タンクの保温性、給水性及びメンテナンス性を向上させるために解決すべき技術的課題が生じてくるのであり、本発明はこの課題を解決することを目的とする。
【課題を解決するための手段】
【０００９】
本発明は上記目的を達成するために提案されたものであり、請求項１記載の発明は、エンジンの前方に熱交換機ユニットが配設され、且つ、液体還元剤を貯留した液体還元剤用
タンクが搭載された建設機械において，熱交換機ユニットは空間部を有する支持フレームに取り付けられ、該支持フレーム内の空間部に前記液体還元剤用タンクを設置することにより、該液体還元剤用タンクを保温できるように構成したことを特徴とする建設機械を提供する。
【００１０】
この構成によれば、エンジンの前方に位置する熱交換機ユニット取り付け用の支持フレームは、エンジンからの放熱により温められるので、該支持フレーム内に設置した液体還元剤用タンクの保温性能が向上する。
【００１１】
また、還元剤用タンクに液体還元剤を補給する際、或いは、液体還元剤用タンクのメンテナンスを行う際には、前記支持フレームの空間部の外側より液体還元剤の補給作業又はメンテナンス作業を容易に実施できる。
【発明の効果】
【００１２】
請求項１記載の発明は、熱交換機ユニット取り付け用の支持フレーム内に設置した液体還元剤用タンクは、エンジンからの放熱により温められるためて保温性が向上する。斯くして、寒冷時であっても、液体還元剤用タンク内の液体還元剤の凍結を未然に防止することができる。
【００１３】
この場合、ヒーターや温度制御手段等の設備を別途必要としないので、従来例に比して構成が簡素化し、設備コストが低減する。更に、本発明は電気エネルギーの浪費も無くすことができる。
【００１４】
また、液体還元剤用タンクに液体還元剤を補給する際、或いは、液体還元剤用タンクのメンテナンスを行う際は、前記支持フレームの空間部の外側より容易迅速に作業を実行でき、以って、液体還元剤用タンクの給水性及びメンテナンス性を向上させることができる。
【図面の簡単な説明】
【００１５】
【図１】本発明の一実施例を示し、油圧ショベル（建設機械）の側面図。
【図２】一実施例に係る油圧ショベルの上部旋回体を示す平面図。
【図３】一実施例に係る液体還元剤用タンクの設置箇所を説明する斜視図。
【発明を実施するための形態】
【００１６】
本発明は、構成を複雑化することなく液体還元剤用タンクの保温性、給水性及びメンテナンス性を向上させるという目的を達成するために、エンジンの前方に熱交換機ユニットが配設され、且つ、液体還元剤を貯留した液体還元剤用タンクが搭載された建設機械において，熱交換機ユニットは空間部を有する支持フレームに取り付けられ、該支持フレーム内の空間部に前記液体還元剤用タンクを設置することにより、該液体還元剤用タンクの保温性を高めることによって実現した。
【実施例１】
【００１７】
以下、本発明の好適な実施例を図１乃至図３に従って説明する。図１は建設機械の一例として油圧ショベルを示す。同図に示すように、下部走行体１上には上部旋回体２が旋回可能に装架され、上部旋回体２の前方一側部にキャブ３が設けられている。また、上部旋回体２の前方中央部にブーム４が俯仰可能に枢着され、該ブーム４の先端部にはアーム５が上下回動可能に連結されているとともに、該アーム５の先端部にバケット６が上下回動可能に取り付けられている。
【００１８】
図２に示すように、上部旋回体２の後部にはエンジンルーム７が設けられ、該エンジン
ルーム７内にはディーゼルエンジン８が設置されている。そして、ディーゼルエンジン８には排気管９が接続されていると共に、該排気管９の下流側には、高次の排ガス規制に対応すべく、排ガス処理装置１０が設置されている。本実施例に係る排ガス処理装置１０としては、尿素水溶液（液体還元剤）を用いた尿素選択還元型のＮＯｘ処理装置が採択されている。
【００１９】
又、ディーゼルエンジン８の前方（図２における手前側）には冷却ファン１２が配設されているとともに、該冷却ファン１２の前方には熱交換機ユニット１３が設置されている。
【００２０】
図３に示すように、熱交換機ユニット１３内にはラジエータ及びオイルクーラ等の熱交換機１４が内蔵されている。又、熱交換機ユニット１３は、上下に離間する水平部を有する支持フレーム１５，１５に取り付けられ、該支持フレーム１５，１５は旋回フレーム１６上に固設されている。
【００２１】
前記支持フレーム１５，１５の内側には空間部が形成され、該空間部に金属製の液体還元剤用タンク１１が設置されている。又、液体還元剤用タンク１１の上面部若しくは側面上部には給水口（図示せず）が設けられている。
【００２２】
更に、液体還元剤用タンク１１内には、前記排ガス処理装置１０で使用される尿素水溶液が貯留されている。又、該液体還元剤用タンク１１は、液体還元剤供給パイプ（図示せず）を介して前記排ガス処理装置１０に接続されている。
【００２３】
叙上の如く本発明によると、ディーゼルエンジン８の前方に配置した熱交換機ユニット１３は支持フレーム１５，１５に取り付けられ、且つ、該支持フレーム１５，１５内の空間部に液体還元剤用タンク１１を配設したので、該液体還元剤用タンク１１の保温性が向上する。
【００２４】
即ち、ディーゼルエンジン８の運転中は、該ディーゼルエンジン８から放出される熱により、エンジンルーム７内の温度が常時所定温度以上に保持されるため、熱交換機ユニット取り付け用の支持フレーム１５，１５内の空間部も所定温度に温められる。その結果、支持フレーム１５，１５内の空間部に設置された液体還元剤用タンク１１も所定温度以上に常に保温される。
【００２５】
斯くして、例えば、気温が氷点下になる寒冷期であっても、液体還元剤用タンク１１の温度を所定値以上に保温できるので、低温環境による液体還元剤用タンク１１内の尿素水溶液の凍結を未然に防止できる。
【００２６】
この場合、液体還元剤用タンク１１は、既存の熱交換機ユニット取り付け用の支持フレーム１５，１５内の空間部に設置して保温性が向上するので、ヒーター等の加熱手段や温度制御手段などの設備を別途必要としない。従って、従来例に比して構造が簡素化するとともに、設備コストも殆ど必要とせず、加えて、液体還元剤用タンク１１を加熱するための電気エネルギーの浪費も無くなる。
【００２７】
また、液体還元剤用タンク１１に尿素水溶液液を補給する際、或いは、液体還元剤用タンク１１の保守点検を行う際には、作業者は前記支持フレーム１５，１５の空間部の外側より容易に作業できる。従って、尿素水溶液の補給作業及び液体還元剤用タンク１１の保守点検作業を迅速に実行でき、以って、液体還元剤用タンク１１の給水性及びメンテナンス性が向上する。
【００２８】
更に、熱交換機ユニット取り付け用の支持フレーム１５，１５内に液体還元剤用タンク１１を設置したことによりレイアウトの自由度も向上する。
【００２９】
なお、本発明は、本発明の精神を逸脱しない限り種々の改変を為すことができ、そして、本発明が該改変されたものに及ぶことは当然である。
【産業上の利用可能性】
【００３０】
本発明は、液体還元剤用タンクを搭載した建設機械であれば、液体還元剤用タンク内に尿素水溶液以外の液体還元剤を貯留したものにも全て適用可能である。
【符号の説明】
【００３１】
２    上部旋回体
７    エンジンルーム
８    ディーゼルエンジン
９    排気管
１０  排ガス処理装置
１１  液体還元剤用タンク
１３  熱交換機ユニット
１５  支持フレーム（熱交換機ユニット取り付け用）
【図１】
2011016506.tif 000003
【図２】
2011016506.tif 000004
【図３】
2011016506.tif 000005